(57)【特許請求の範囲】
【請求項１】
戸パネル２に固定される錠ケース１１と、錠ケース１１で施錠位置と解錠位置とに往復スライド可能に支持されるスライドブロック１３と、
スライドブロック１３を解錠位置へ向かって移動付勢する第１ばね３２と、
スライドブロック１３を第１ばね３２の付勢力に抗して施錠位置へ移動操作する操作体１４と、
スライドブロック１３で上下揺動可能に支持されて、ストライカー３に係合する施錠姿勢と、ストライカー３との係合を解除する解錠姿勢とに揺動変位できるフックボルト１５と、
フックボルト１５を施錠姿勢に揺動付勢する第２ばね３９とを含み、
操作体１４でスライドブロック１３を第１ばね３２に抗してスライド操作することにより、フックボルト１５が錠ケース１１の外へ突出しながら施錠揺動してストライカー３と係合でき、
操作体１４でフックボルト１５を第２ばね３９に抗して解錠揺動することにより、フックボルト１５をストライカー３から係合解除でき、
解錠状態において、スライドブロック１３が第１ばね３２でケース内方へ退入移動されて、フックボルト１５が錠ケース１１内に常時退入保持されていることを特徴とする鎌錠。
【請求項２】
スライドブロック１３に、上下一対のフックボルト１５が配置されて、両フックボルト１５の間に圧縮コイル形の第２ばね３９が配置されており、
両フックボルト１５が、ストライカー３に設けた出退口５５の上下のロック壁５６に同時に係合する請求項１記載の鎌錠。
【請求項３】
フックボルト１５が、ほぼ横向きに延びるアーム部３３と、アーム部３３の突端に設けられてストライカー３と係合する掛止爪３４とを備えており、
施錠位置において錠ケース１１から突出するスライドブロック１３の側端部に、フックボルト１５の不正解錠を阻止する防護壁３１が設けてある請求項１または２記載の鎌錠。
【請求項４】
操作体１４が、錠ケース１１の外に設けたハンドル７・８とハンドル軸４７を介して連結されて往復揺動できるレバーからなり、
錠ケース１１に、施錠状態における操作体１４を解錠操作不能にロック保持するサムターン機構１６が設けてある請求項１または２または３記載の鎌錠。
【請求項５】
戸パネル２に固定される錠ケース７０と、錠ケース７０で施錠位置と解錠位置とに往復スライド可能に支持されるフックボルト７１と、フックボルト７１を解錠位置へ向かって移動付勢するボルトばね７２と、フックボルト７１をボルトばね７２の付勢力に抗して施錠位置へ移動操作する操作体７３とを含み、
フックボルト７１は、ストライカー３と係合する施錠姿勢と、ストライカー３との係合を解除する解錠姿勢とに揺動変位できるよう、錠ケース７０で上下揺動可能に軸支されて、ボルトばね７２で施錠姿勢に揺動付勢されており、
操作体７３でフックボルト７１をボルトばね７２に抗してスライド操作することにより、フックボルト７２が錠ケース７０の外へ突出しながら施錠揺動してストライカー３と係合でき、
操作体７３でフックボルト７１をボルトばね７２に抗して解錠揺動することにより、フックボルト７１をストライカー３から係合解除でき、
解錠状態におけるフックボルト７１が、ボルトばね７２で錠ケース７０内へ向かって常時退入保持されていることを特徴とする鎌錠。
【請求項６】
対称構造の一対の半ケース体７０ａを蓋合わせ状に接合して構成した錠ケース７０の内部に、フックボルト７１とボルトばね７２とが配置されており、
錠ケース７０の内外側面に対向配置した一対の操作体７３どうしが、錠ケース７０を貫通する締結具９２で同行スライド可能に一体化されており、
錠ケース７０には、前記締結具９２をスライド可能に案内する第１溝７５と、フックボルト７１のボス８３をスライド可能に案内し、かつボス８３を揺動可能に軸支する第２溝７６が設けられており、
操作体７３の内面には、フックボルト７１をボルトばね７２に抗して施錠位置へ移動操作する連動軸９１が、第２溝７６内へ入り込む状態で突設されており、操作体７３には、フックボルト７２の受動アーム８５を解錠方向へ変位操作する解錠部９３が設けてある請求項５記載の鎌錠。
【請求項７】
フックボルト７１の受動アーム８５を、締結具９２の解錠方向のスライド軌跡に臨ませて配置して、締結具９２のひとつが解錠体９３を兼ねている請求項５または６記載の鎌錠。
【発明の詳細な説明】
【０００１】
【発明の属する技術分野】
この発明は、引戸に適用される鎌錠、なかでも戸パネルが開放された状態において、フックボルトを戸パネルの側端面より内側に退入保持できる構造の鎌錠に関する。
【０００２】
【従来の技術】
一般的な鎌錠においては、戸パネルを開放操作したとき、フックボルトが錠ケースの側面から突出した状態となる。そのため衣服の一部がフックボルトに引っ掛かったり、重量物が当たってフックボルトを変形させることがある。このような引っ掛かり事故を解消するために、戸パネルを開放した状態において、フックボルトを錠ケース内へ退入保持できるようにした鎌錠がある。例えば、特開平９−４３０３号公報や特開平９−２７９９２１号公報の鎌錠は、その一例である。いずれも、フックボルトの解錠姿勢を保持するトリガーを備えており、戸パネルを閉じ操作したときに、トリガーが戸枠で錠ケース内へ押し返されることを利用して、トリガーによるフックボルトの拘束を解除し、フックボルトをストライカーに係合できるにしている。
【０００３】
【発明が解決しようとする課題】
上記のように、トリガーでフックボルトの解錠姿勢を保持する形態の鎌錠は、戸開放時のフックボルトの突出は解消できるものの、戸パネルを開放した状態において、トリガーが錠ケースから突出するのを避けられない。もちろん、トリガーの突出量はフックボルトに比べて小さいが、衣服の一部が引っ掛かったり、重量物が当たるのを完全に解消できるわけではない。トリガーを付加した分だけ錠構造が複雑になる不利もある。実開平４−１１０８７７号公報には、フックボルトをクリックばねで施錠位置と解錠位置とに位置保持できるようにした鎌錠が開示されているが、この場合には戸パネルの開閉と、フックボルトの姿勢切り換えとを個別に行わねばならず、戸パネルの開閉操作が面倒になる。
【０００４】
この発明の目的は、フックボルトはもちろんのこと他の錠部品が、戸開放時に戸パネルの側端から突出するのを解消して、衣服の引っ掛かりなどを完全に解消でき、戸パネルの開閉操作も簡単に行える鎌錠を提供することにある。この発明の目的は、フックボルトを常に錠ケース内に退入保持し、戸パネルを施錠するときに限ってフックボルトを錠ケースから突出させることができ、錠部品の突出が一切なく安全性に優れた鎌錠を提供することにある。この発明の目的は、閉じ状態の戸パネルを戸枠に密接させて両者間に隙間が生じるのを解消でき、従って戸パネルと戸枠との水密性や密閉度が向上し、あるいは戸パネルのがたつきを解消できる鎌錠を提供することにある。この発明の目的は、２個のフックボルトでストライカーの上下２箇所を係合保持でき、戸パネルの上下遊動をよく防止できる鎌錠を提供することにある。この発明の目的は、錠の構成部品点数を削減できるうえ、右勝手と左勝手のいずれの仕様にも共通して使用でき、従って製作コストが少なくて済む鎌錠を提供することにある。
【０００５】
【課題を解決するための手段】
この発明の鎌錠は、戸パネル２に固定される錠ケース１１と、錠ケース１１で施錠位置と解錠位置とに往復スライド可能に支持されるスライドブロック１３と、スライドブロック１３を解錠位置へ向かって移動付勢する第１ばね３２と、スライドブロック１３を第１ばね３２の付勢力に抗して施錠位置へ移動操作する操作体１４と、スライドブロック１３で上下揺動可能に支持されて、ストライカー３に係合する施錠姿勢と、ストライカー３との係合を解除する解錠姿勢とに揺動変位できるフックボルト１５と、フックボルト１５を施錠姿勢に揺動付勢する第２ばね３９とを含む。操作体１４でスライドブロック１３を第１ばね３２に抗してスライド操作することにより、フックボルト１５が錠ケース１１の外へ突出しながら施錠揺動してストライカー３と係合できる。操作体１４でフックボルト１５を第２ばね３９に抗して解錠揺動することにより、フックボルト１５をストライカー３から係合解除できる。解錠状態において、スライドブロック１３が第１ばね３２でケース内方へ退入移動されて、フックボルト１５が錠ケース１１内に常時退入保持されていることを特徴とする。
【０００６】
上記のスライドブロック１３には、上下一対のフックボルト１５を配置し、両ボルト１５の間に圧縮コイル形の第２ばね３９を配置する。以て、両フックボルト１５は、ストライカー３に設けた出退口５５の上下のロック壁５６に同時に係合させることができる。
【０００７】
フックボルト１５は、ほぼ横向きに延びるアーム部３３と、アーム部３３の突端に設けられてストライカー３と係合する掛止爪３４とを備えており、施錠位置において錠ケース１１から突出するスライドブロック１３の側端部に、フックボルト１５の不正解錠を阻止する防護壁３１が設けるられたものとすることができる。
【０００８】
操作体１４は、錠ケース１１の外に設けたハンドル７・８とハンドル軸４７を介して連結されて往復揺動できるレバーからなり、錠ケース１１には、施錠状態における操作体１４を解錠操作不能にロック保持するサムターン機構１６を設けることができる。
【０００９】
この発明の別の鎌錠は、図７ないし図１１に示すごとく戸パネル２に固定される錠ケース７０と、錠ケース７０で施錠位置と解錠位置とに往復スライド可能に支持されるフックボルト７１と、フックボルト７１を解錠位置へ向かって移動付勢するボルトばね７２と、フックボルト７１をボルトばね７２の付勢力に抗して施錠位置へ移動操作する操作体７３とを含む。そのフックボルト７１は、ストライカー３と係合する施錠姿勢と、ストライカー３との係合を解除する解錠姿勢とに揺動変位できるよう、錠ケース７０で上下揺動可能に軸支されて、ボルトばね７２で施錠姿勢に揺動付勢されている。操作体７３でフックボルト７１をボルトばね７２に抗してスライド操作することにより、フックボルト７２が錠ケース７０の外へ突出しながら施錠揺動してストライカー３と係合でき、操作体７３でフックボルト７１をボルトばね７２に抗して解錠揺動することにより、フックボルト７１をストライカー３から係合解除できる。そして、解錠状態におけるフックボルト７１が、ボルトばね７２で錠ケース７０内へ向かって常時退入保持されていることを特徴とする。
【００１０】
具体的には、対称構造の一対の半ケース体７０ａを蓋合わせ状に接合して構成した錠ケース７０の内部に、フックボルト７１とボルトばね７２とを配置する。錠ケース７０の内外側面に対向配置した一対の操作体７３どうしは、錠ケース７０を貫通する締結具９２で同行スライド可能に一体化する。錠ケース７０には、前記締結具９２をスライド可能に案内する第１溝７５と、フックボルト７１のボス８３をスライド可能に案内し、かつボス８３を揺動可能に軸支する第２溝７６とを設ける。そして操作体７３の内面には、フックボルト７１をボルトばね７２に抗して施錠位置へ移動操作するための連動軸９１が、第２溝７６内へ入り込む状態で突設されており、操作体７３には、フックボルト７２の受動アーム８５を解錠方向へ変位操作する解錠部９３が設けられている。
【００１１】
フックボルト７１の受動アーム８５は、締結具９２の解錠方向のスライド軌跡に臨ませて配置して、締結具９２のひとつが解錠体９３を兼ねるようにすることができる。
【００１２】
【発明の作用効果】
この発明では、ストライカー３に係合するフックボルト１５をスライドブロック１３で揺動可能に支持し、スライドブロック１３を第１ばね３２で錠ケース１１の内方へ退入付勢して、解錠状態におけるフックボルト１５を錠ケース１１内に常時退入保持できるようにしたので、フックボルト１５はもちろんのこと、他の錠部品が、戸開放時に戸パネル２の側端から突出するのを解消して衣服の引っ掛かりなどを完全に解消できる。フックボルト１５を常に錠ケース１１内に退入保持し、戸パネル２を施錠するときに限ってフックボルト１５を錠ケース１１から突出できるので、錠部品の突出が一切なく安全性に優れた鎌錠が得られる。また、ハンドル７・８で操作体１４を介してスライドブロック１３を移動操作し、あるいは、ハンドル７・８で操作体１４を介してフックボルト１５を解錠揺動操作することにより、鎌錠の施錠および解錠の切り換えと、戸パネル２の開閉とを同時に行うことができるので、戸パネル２の開閉操作が簡単に行える。
【００１３】
施錠状態においては、第１ばね３２が圧縮されてスライドブロック１３を解錠方向へ付勢している。そのため、フックボルト１５はストライカー３のロック壁５６に密着している。換言すると、戸パネル２は戸枠１側へ押し付けられて、戸枠１に隙間のない状態で密接している。従って、閉じ状態の戸パネル２と戸枠１との間に隙間が生じるのを解消して、両者の水密性や密閉度を向上できるうえ、戸パネル２が風や外部振動を受けてがたつくのを解消できる。
【００１４】
スライドブロック１３に、上下一対のフックボルト１５を配置し、両ボルト１５をストライカー３に設けた出退口５５の上下のロック壁５６に同時に係合させるようにした鎌錠によれば、２個のフックボルトでストライカーの上下２箇所を係合保持できるので、外部振動を受けて戸パネル２が上下に遊動するのをよく防止でき、先のように戸パネル２が第１ばね３２で戸枠１に押し付けられることも相俟って、戸パネル２のがたつきをよく防止できる。
【００１５】
スライドブロック１３の側端部に防護壁３１を設けた鎌錠によれば、施錠状態において、防護壁３１が出退口５５に入り込んで、フックボルト１５の外面を覆っている。そのため、戸パネル２と戸枠１との接合隙間から金属板を差し込んで、フックボルト１５を第２ばね３９に抗して解錠操作しようとしても、防護壁３１が邪魔になって解錠できず、従って不正解錠を阻止できる。
【００１６】
錠ケース１１に、操作体１４を解錠操作不能にロック保持するサムターン機構１６を設けた鎌錠によれば、サムターン機構１６を待機位置へ復帰操作しない限りは、ハンドル７・８を操作しても操作体１４を解錠操作できないので、いたずらや悪意による解錠を阻止して、防犯性を高めることができる。
【００１７】
フックボルト７１を錠ケース７０で施錠位置と解錠位置とに往復スライド可能に支持し、ボルトばね７２で解錠位置へ向かって移動付勢したうえで、フックボルト７１を、ストライカー３に対して施錠姿勢と解錠姿勢とに揺動変位できるよう錠ケース７０で支持した鎌錠によれば、解錠状態におけるフックボルト７１を、ボルトばね７２で錠ケース７０内へ向かって常時退入保持できるので、フックボルト１５はもちろんのこと他の錠部品が、戸開放時に戸パネル２の側端から突出するのを解消して衣服の引っ掛かりを完全に解消でき、戸パネル２の側端からの錠部品の突出が一切なく安全性に優れた鎌錠が得られる。また、操作体７３を移動操作してフックボルト１５を施錠あるいは解錠揺動操作することにより、鎌錠の施錠および解錠の切り換えと同時に、戸パネル２の開閉を行えるので、戸パネル２の開閉操作を簡単に行うことができる。
【００１８】
施錠状態においては、ボルトばね７２が伸張されてフックボルト７１を解錠方向へ引張り付勢している。そのため、フックボルト７１はストライカー３のロック壁５６に密着しており、戸パネル２は戸枠１側へ引き寄せられて、戸枠１に隙間のない状態で密接している。従って、閉じ状態の戸パネル２と戸枠１との間に隙間が生じるのを解消して、両者の水密性や密閉度を向上できるうえ、戸パネル２が風や外部振動を受けてがたつくのを解消できる。
【００１９】
フックボルト７１の受動アーム８５を操作体７３に設けた締結具９２の解錠軌跡に臨ませて配置し、締結具９２を解錠体９３として利用すると、解錠体９３を別途に設ける必要がなく、その分だけ操作体７３の構造を簡素化して、製造コストの削減化が図れる。
【００２０】
【実施例】
（実施例１）
図１ないし図６はこの発明に係る鎌錠の実施例を示す。図１および図２において符号１は戸枠、２は戸パネル、３は戸枠１に固定したストライカーである。鎌錠は、戸パネル２にその側端面の側から埋設される錠ユニット４と、戸パネル２の内外面に装着されるカバー５・６と、各カバー５・６の外面に配置されるハンドル７・８などで構成してある。
【００２１】
図３において錠ユニット４は、側端上下に締結座１０が張り出し形成されている角箱状の錠ケース１１を有し、錠ケース１１の内部に、スライドブロック１３と、操作体１４と、フックボルト１５と、操作体１４を解錠不能にロック保持するサムターン機構１６と、いくつかのばねを組み込んで構成してある。符号１２は錠ケース１１の開口面を塞ぐ蓋板である。
【００２２】
錠ケース１１は、戸パネル２の屋内側へ向かって開口しており、さらに側端壁の上下中央にフックボルト１５の出退口１８が開口している。出退口１８よりケース内方の上下には、解錠状態におけるフックボルト１５の掛止爪３４を収容するポケット１９が設けてあり（図１参照）、このポケット１９に連続して上下一対のガイド壁２０を設けてある。ケース内奥端にも上下一対のガイド壁２１が設けてある。ケースの外側壁の上下にはハンドル軸を挿通するための穴２２と、サムターン軸５１を挿通するための穴２３が通設してある（図３参照）。蓋板１２にも同様の穴が通設してある。構造の簡素化を図るために、錠ケース１１は射出成形品で形成してある。
【００２３】
スライドブロック１３は、横長四角形状の平板状のベース部２５を有し、ベース部２５の中途部の上下に、ばね受座２６と、フックボルト１５の揺動限界を規定する規制壁２７を一体に突設した射出成形品からなる。ベース部２５の板面には操作体１４用の横長四角形状の受動穴２８と逃げ穴２９、および上下一対の挿通穴３０が形成してある。規制壁２７より側方に突出するベース部２５の上下辺部は、それぞれ不正解錠を防ぐ防護壁３１として機能するが、その詳細は後述する。スライドブロック１３を錠ケース１１内に組み、そのばね受座２６とケース側壁との間に、圧縮コイル形の第１ばね３２を装着することにより、スライドブロック１３は解錠位置側へ移動付勢される。
【００２４】
フックボルト１５は、横長のアーム部３３を有し、その一端に嘴状の掛止爪３４を、他端に解除腕３５を一体に形成したステンレス製のプレス金具からなる。アーム部３３の中途部の上下には、軸支部３６とばね受爪３７が設けてある。フックボルト１５は、２枚の金具をスポット溶接して構成するが、片方の金具の解除腕３５と、解除腕３５に隣接するアーム部３３の一部は省略されている。規制壁２７が突出する側のベース部２５の面壁上下にフックボルト１５を横長姿勢で配置し、軸支部３６に挿通したピン３８を先の挿通穴３０にかしめ固定することにより、両フックボルト１５はスライドブロック１３で施錠姿勢と解錠姿勢とに上下揺動自在に支持される。この状態のばね受爪３７の間に圧縮コイル形の第２ばね３９を介装することにより、各フックボルト１５は、施錠姿勢に揺動付勢され、規制壁２７で受け止められている（図１参照）。
【００２５】
操作体１４は、上下に長いレバー状の射出成形品からなり、そのアーム４１の下部にボス４２とばね爪４３とを突設し、上部寄りに卵形の突起４４を突設してある。アーム４１の上端にはサムターン機構１６用の係合凹部４５が形成してある。ボス４２の両端を錠ケース１１と蓋板１２とで支持することにより、操作体１４は左右方向へ揺動可能に軸支され、ボス４２に外嵌したキックばね４６で、アーム４１が直立する待機姿勢（図１に想像線で示す状態）に姿勢保持される。この待機状態において、突起４４はフックボルト１５の間を介して、スライドブロック１３の受動穴２８に入り込み、穴の内側縁に接当している。従って操作体１４をキックばね４６に抗して左または右へ揺動操作すると、突起４４は受動穴２８と解除腕３５のいずれかに接当して、これらを変位操作できる。操作体１４は、角軸からなるハンドル軸４７を介して内外の両ハンドル７・８と連結してある。
【００２６】
図１および図２において、サムターン機構１６は、錠ケース１１の上部中央に配置されるカム４８と、カム４８で下向きに揺動操作されるロックレバー４９と、ロックレバー４９を時計回転方向へ揺動付勢するキックばね５０と、カム４８をサムターン軸５１を介して回動操作する操作つまみ５２、および内外の表示アーム５３とで構成する。操作つまみ５２と、内側の表示アーム５３とは、内側のカバー５と戸パネル２との間に配置されて、操作つまみ５２の操作部のみがカバー５の外に突出している。外側の表示アーム５３は、外側のカバー６と戸パネル２との間に配置する。各表示アーム５３は扇形に形成してあって、操作つまみ５２をロック位置に切り換えた状態と、ロック解除位置に切り換えた状態とで、異なる色の表示を各カバー５・６の表示窓５ａ・６ａを介して表示できるようになっている（図２参照）。
【００２７】
帯板状の金属板からなるストライカー３には、フックボルト１５の進入を許す出退口５５が縦長溝状に開口してある。上下のフックボルト１５の係止爪３４は、爪先端の斜面部が出退口５５の上下縁に接当し、第２ばね３９に抗して接近揺動することにより出退口５５をくぐり抜けた後、施錠姿勢に復帰して上下のロック壁５６と係合する。この状態において第１ばね３２は圧縮されて、スライドブロック１３を解錠方向へ付勢している。そのため、係止爪３４はロック壁５６に密着し、戸パネル２と戸枠１も隙間のない状態で密接している。
【００２８】
戸パネル２を開放した状態では、図１に示すように、スライドブロック１３は錠ケース１１内に退入して解錠位置にあり、フックボルト１５はその係止爪３４がポケット１９内に収まる状態で規制壁２７に受け止められている。この状態から、内外のハンドル７・８のいずれか一方を操作して戸パネルを２を閉じ操作すると、操作体１４がキックばね４６の付勢力に抗して反時計回転方向へ揺動して、その突起４４がスライドブロック１３を第１ばね３２に抗して、図４に向かって左側へスライドする。錠ケース１１から突出するフックボルト１５は、係止爪３４が他に先行して出退口５５に接当し、先に説明したように第２ばね３９に抗しながら出退口５５をくぐり抜け、図５に示すようにロック壁５６と係合して施錠姿勢に切り換わる。
【００２９】
このとき、スライドブロック１３の防護壁３１も出退口５５に入り込む。そのため、戸パネル２と戸枠１との接合隙間から金属板を差し込んで、フックボルト１５を第２ばね３９に抗して解錠操作しようとしても、防護壁３１が邪魔になって解錠できず、従って不正解錠を阻止できる。ハンドル７・８の操作力を開放すると、ハンドル７・８および操作体１４は待機位置へ復帰し、突起４４はフックボルト１５の解除腕３５の内側面に当たっている。操作体１４が待機位置にあるとき、操作つまみ５２を反時計回転方向へ回転操作すると、図５に示すようにカム４８がロックレバー４９をキックばね５０に抗して押し下げ操作し、その下面に設けた突起４９ａが操作体１４の係合凹部４５と係合する。そのため、操作つまみ５２を待機位置へ復帰操作しない限りは、ハンドル７・８を操作しても操作体１４を動かすことはできない。
【００３０】
解錠時には、ハンドル７・８を揺動操作して、図６に示すように操作体１４を時計回転方向へ揺動させる。操作体１４の揺動に伴って、突起４４がフックボルト１５の解除腕３５を第２ばねの付勢力に抗して押す。その結果、フックボルト１５は図６に示すように係止爪３４どうしが接近揺動して、解錠姿勢に切り換わるので、ストライカー３の出退口５５から抜け出ることができ、この状態で戸パネル２を開放操作できる。
【００３１】
（実施例２）
図７ないし図１１は、鎌錠の別実施例を示す。そこでは、戸パネル２に固定される錠ケース７０と、錠ケース７０で施錠位置と解錠位置とに往復スライド可能に支持されるフックボルト７１と、フックボルト７１を解錠位置へ向かって移動付勢する引張りコイル形のボルトばね７２と、フックボルト７１をボルトばね７２の付勢力に抗して解錠位置へ移動操作する操作体７３（図８参照）と、戸パネル２の外面に固定されるカバー７４などで錠ユニット４を構成する。
【００３２】
錠ケース７０は、一体成形ヒンジ７４を介して一体成形される一対の半ケース体７０ａを蓋合わせ状に接合して構成する。各半ケース体７０ａは対称構造に形成されており、その主面壁の上下に横長の第１溝７５を平行に形成し、両溝７５の間に第２溝７６を形成し、第１溝７５の上下に締結ボス７７（図９参照）を形成し、第２溝７６の近傍にナット座を形成してなる。主面壁の外面上下にはフランジ壁７８を張り出し、フランジ壁７８の基端に沿ってガイド溝７９が形成してある。両半ケース体７０ａの間に、フックボルト７１とボルトばね７２とが組み込まれる。両半ケース体７０ａは、ナット座にねじ込んだビス８０ａとナット８０ｂとで仮り固定できる。ボルトばね７２の一端は、ビス８０ａに掛け止められる（図７参照）。
【００３３】
図１０においてフックボルト７１は、横長のアーム部８１の先端に嘴状の係止爪８２を有し、基端側にボス８３と、ばね掛腕８４と、受動アーム８５とを一体に成形したプラスチック成形品からなる。ボス８３を第２溝７６で案内支持し、ばね掛腕８４にボルトばね７２の一端を掛け止めることにより、フックボルト７１は解錠位置へ向かって移動付勢され、しかもボス８３を中心にして施錠姿勢に揺動付勢される。つまり、フックボルト７２は、ストライカー３と係合する施錠姿勢と、ストライカー３との係合を解除する解錠姿勢とに揺動変位できるよう、錠ケース７０で上下揺動可能に軸支されて、ボルトばね７２で施錠姿勢に揺動付勢されている。
【００３４】
図８および図９において操作体７３は、上下辺部にスライド壁８７が形成してある平板状のプラスチック成形品からなり、その面壁の上下に横長の逃げ溝８８を通設し、逃げ溝８８の間に操作つまみ８９を突設する。面壁の内面側には、上下一対の締結ボス９０と、連動軸９１が突設してある。図９に示すように、一対の操作体７３は、錠ケース７０の内外側面に対向配置した状態で、錠ケース７０を貫通する皿ビス（締結具）９２で一体化されて同行スライドできる。皿ビス９２は、ビス座が形成された側から締結ボス９０にねじ込まれ、締結ボス９０は第１溝７５でスライド案内されている。また、図７に示すように、上側の締結ボス９０は受動アーム８５を受け止めて、フックボルト７１がボルトばね７２の付勢力を受けて傾動するのを防いでいる。この締結ボス９０は、フックボルト７１を解錠操作するための解錠部９３を兼ねている。締結状態における連動軸９１は第２溝７６内に入り込んで、フックボルト７１の基部周面に臨んでおり、施錠時にフックボルト７１をボルトばね７２に抗してスライド操作できる状態にある。
【００３５】
図８および図９においてカバー７４は、角皿状のプラスチック成形品からなり、その凹部壁の上下に６角ナット９４が嵌め込まれる座部９５を形成し、座部９５の間に操作つまみ８９の左右スライドを許す開口９６とビス溝９９が形成してある。外ハンドル９８を開口９６に係合し、ビス溝９９に挿通したビス１００を外ハンドル９８にねじ込むことにより、外ハンドル９８をカバー７４と一体化できる。この後、錠ケース７０の屋内側からボルト９７を締結ボス７７に挿通して、そのねじ部をカバー７４に装着した６角ナット９４にねじ込むことによって、錠ケース７０とカバー７４とを戸パネル２に固定でき、さらに操作体７３の操作つまみ８９を外ハンドル９８に係合して、外ハンドル９８と操作体７３とを同行スライド可能に一体化できる。この状態では、開口９６と座部９５に嵌め込まれた６角ナット９４を外ハンドル９８で覆い隠すことができる。この装着状態において、フックボルト７１は錠ケース７０の側面から突出しているが、戸パネル２の側端の内面に位置している。従って、戸パネル１を開放した状態において、その係止爪８３に衣服の一部が引っ掛かることはない。以上のように構成した鎌錠は、従来の鎌錠に比べて、錠の構成部品点数を削減できるうえ、錠ケース７０および操作体７２の構造を上下対象とするので、フックボルト７１組み付け方向を反転するだけで、右勝手と左勝手のいずれの仕様にも共通して使用できるので、鎌錠の製作コストが少なくて済む。
【００３６】
戸パネル２を開放した状態では、図１に示すように、フックボルト７１が解錠位置にある。この状態から、操作体７３または外ハンドル９８のいずれか一方を操作して戸パネルを２を閉じ操作すると、フックボルト７１が連動軸９１に押されて、ボルトばね７２の付勢力に抗して、図１０に向かって左側へスライドする。戸パネル２が戸枠１に接すると、フックボルト７１の係止爪８３がストライカー３の出退口５５に当たり、その傾斜面がボルトばね７２に抗しながら出退口５５をくぐり抜け、ロック壁５６と係合して施錠姿勢に切り換わる。
【００３７】
解錠時には、操作体７３または外ハンドル９８を揺動操作して、図１１に示すように操作体７３を右方向へスライド操作する。操作体７３のスライドに伴って、皿ビス９２が受動アーム８５に接当して、ストライカー３と係合しているフックボルト７１を時計回転方向へ揺動操作し、その係止爪８２とロック壁５６との係合状態を解除する。係合が解除されると同時に、フックボルト７１は錠ケース７０側へ引き込まれ解錠状態に切り換わるので、戸パネル２を開放操作できる。
【００３８】
実施例１におけるフックボルト１５は、上下一対である必要はなく、いずれか一方にのみ設けてあってもよい。
【図面の簡単な説明】
【図１】解錠状態の鎌錠の縦断正面図である。
【図２】鎌錠の縦断側面図である。
【図３】鎌錠の分解斜視図である。
【図４】施錠途中の鎌錠の縦断正面図である。
【図５】施錠状態の鎌錠の縦断正面図である。
【図６】解錠途中の鎌錠の縦断正面図である。
【図７】鎌錠の別実施例を示す正面図である。
【図８】別実施例の鎌錠の施錠状態における横断平面図である。
【図９】図７におけるＡ−Ａ線断面図である。
【図１０】別実施例の鎌錠の施錠途中の縦断正面図である。
【図１１】別実施例の鎌錠の解錠途中の縦断正面図である。
【符号の説明】
２  戸パネル
３  ストライカー
１１  錠ケース
１３  スライドロック
１４  操作体
１５  フックボルト
３２  第１ばね
３９  第２ばね
【図１】
0004623620.tif 000002
【図２】
0004623620.tif 000003
【図３】
0004623620.tif 000004
【図４】
0004623620.tif 000005
【図５】
0004623620.tif 000006
【図６】
0004623620.tif 000007
【図７】
0004623620.tif 000008
【図８】
0004623620.tif 000009
【図９】
0004623620.tif 000010
【図１０】
0004623620.tif 000011
【図１１】
0004623620.tif 000012